(57)【要約】  非同期セクターの存在下で半二重通信を利用する無線通信システムにおける信号取得に対するサポートを提供するシステム及び方法が記述される。フォワード・リンク及びリバース・リンク・フーパーフレームは、１つのスーパーフレームにおける所定のフレーム位置が特定の半二重インターレースに対するフォワード・リンク通信及びリバース・リンク通信の間で交互するように構成されうる。さらに詳細には、奇数個のフレームが、各フォワード・リンク及びリバース・リンク・スーパーフレームにグループ分けされることができ、それらのスーパーフレームからフレームが第１の半二重インターレース及び第２の半二重インターレースに交互する態様で割当てられることができる。所定のフレーム位置における半二重インターレースによって使用される通信リンクを変えることにより、単一の半二重インターレース上で動作する端末が、非同期的に動作するセクターを、それらのセクターの送信タイムラインに関係なく、検知することができる。
2010510693.tif 000002
【特許請求の範囲】
【請求項１】
下記を含む無線通信システムで非同期セクターの存在下において半二重通信を供給する方法:
フォワード・リンク及びリバース・リンク上の送信タイムラインを一定の奇数個のフレームを有するスーパーフレームに分割すること;
フォワード・リンク及びリバース・リンク上のスーパーフレームにおける各フレームを第１の半二重インターレース及び第２の半二重インターレースのうちの1つに割当てること;
１つ又は複数の半二重インターレースに端末を関連させること;
及び、前記端末に関連した前記１つ又は複数の半二重インターレースに割当てられたフレームを用いて前記端末と通信すること。
【請求項２】
請求項１の方法において、前記各フレームを割当てることは：
各フォワード・リンク・スーパーフレームにおける１つおきのフレームおよび各リバース・リンク・スーパーフレームにおける１つおきのフレームを前記第１の半二重インターレースに、前記第１の半二重インターレースに割当てられた前記フレームが非オーバーラッピングであるように、割当てること；
及び、前記各フォワード・リンク・スーパーフレーム及び前記半二重インターレースに割当てられないリバース・リンク・スーパーフレームにおけるフレームを前記第２の半二重インターレースに割当てることを含む。
【請求項３】
請求項1の方法において、前記送信タイムラインを分割することは、前記フォワード・リンク及びリバース・リンク上の送信タイムラインを２５のフレームを有するスーパーフレームに分割することを含む。
【請求項４】
請求項1の方法において、前記端末と通信することは、１つ又は複数の取得パイロットを前記端末に送信することにより、少なくとも部分的に、前記端末との通信を確立することを含む。
【請求項５】
請求項4の方法の方法において、前記送信タイムラインを分割することは、前記フォワード・ライン上の送信タイムラインをスーパーフレーム・プリアンブル及び一定の奇数個のフレームを有するスーパーフレームに分割することを含み、そして、前記端末との通信を確立することは、スーパーフレーム・プリアンブルにおける前記フォワード・リンク上で１つ又は複数の取得パイロットを送信することを含む。
【請求項６】
請求項1の方法において、前記無線通信システムは、周波数分割二重(FDD)通信システムであり、前記フォワード・リンクは第１の周波数チャネルと関連され、そして、前記リバース・リンクは第２の周波数チャネルと関連される。
【請求項７】
請求項6の方法において、前記端末と通信することは：
前記端末と関連された前記１つ又は複数の半二重インターレースに割当てられたフォワード・リンク・フレームにおいて前記第１の周波数チャネルによって１つ又は複数のデータ及び信号を送ること；
及び、前記端末と関連された前記１つ又は複数の半二重インターレースに割当てられたリバース・リンク・フレームにおいて前記第２の周波数チャネルによって１つ又は複数のデータ及び信号を受信すること、を含む。
【請求項８】
下記を含む無線通信装置:
第１の半二重インターレース及び第１の半二重インターレースに関するデータを格納するメモリ、前記第１の半二重インターレース及び第２の半二重インターレースは、所定の奇数個のフレームを有するフォワード・リンク及びリバース・リンク間で割当てられたフレームを有しており、前記フォワード・リンク及びリバース・リンクは前記第１の半二重インターレース及び第２の半二重インターレースの間でスタガーされる；
及び、アクセス端末を半二重インターレースと関連させる、そして、前記関連された半二重インターレースのフレームを用いて前記アクセス端末と通信するように構成されたプロセッサ。
【請求項９】
請求項8の無線通信装置において、前記フォワード・リンク及びリバース・リンク上の前記格スーパーフレームにおける前記フレームは互いに当接する。
【請求項１０】
請求項8の無線通信装置において、送信及び送信間又は受信及び送信間で切替えるのに十分な時間をアクセス端末に許容するために、前記フォワード・リンク及びリバース・リンク上の前記各スーパーフレームにおけるフレーム間にガードタイムが与えられる。
【請求項１１】
請求項8の無線通信装置において、前記フォワード・リンク及びリバース・リンク上の前記各スーパーフレームは長さが２５フレームである。
【請求項１２】
請求項8の無線通信装置において、前記プロセッサは、取得パイロットを前記アクセス端末に通信することによって前記アクセス端末との通信を確立するようにさらに構成されている。
【請求項１３】
請求項8の無線通信装置において、前記メモリは、前記第１の半二重インターレース及び前記第２の半二重インターレースのローデイング・レベルに関係するデータを格納する、また、前記プロセッサは、前記ローデイング・レベルに少なくとも一部基づいてアクセス端末を半二重インターレーアスと関連させるようにさらに構成されている。
【請求項１４】
非同期的に動作する無線通信システムにおいて半二重通信を促進する装置であって、
スーパーフレームにおける所定のフレーム位置が所定の半二重インターレーアスに対するフォワード・リンク通信とリバース・リンク通信の間で交互するように、スーパーフレームのセットによって提供されるフォワード・リンク及びリバース・リンクに対するフレームを第１の半二重インターレース及び第２の半二重インターレースの間で分割するための手段と、
無線端末との通信のための１つ又は複数の半二重インターレースを決定するための手段と、を備える装置。
【請求項１５】
請求項14の装置において、前記スーパーフレームのセットは、１つ又は複数のフォワード・リンク・スーパーフレーム及び１つ又は複数のリバース・リンク・スーパーフレームを含んでおり、前記１つ又は複数のフォワード・リンク・スーパーフレーム及び１つ又は複数のリバース・リンク・スーパーフレームは所定の奇数個のフレームを含んでいる。
【請求項１６】
請求項15の装置において、前記フレームを分割するための手段は：
前記１つ又は複数のフォワード・リンク・スーパーフレームにおける交互するフレーム及び前記１つ又は複数のリバース・リンク・スーパーフレームにおける非オーバーラップ・フレームを前記第１の半二重インターレースに割当てるための手段；
及び、前記１つ又は複数のフォワード・リンク・スーパーフレーム及び前記１つ又は複数のリバース・リンク・スーパーフレームにおける残りのフレームを前記第２の半二重インターレースに割当てるための手段、を含む。
【請求項１７】
通信のために決定された前記１つ又は複数の半二重インターレースにより前記無線端末との通信を確立するために前記無線端末に情報を伝送するための手段をさらに備える、請求項14の装置。
【請求項１８】
通信のために決定された前記１つ又は複数の半二重インターレースのフレームにおいて前記無線端末と通信することをさらに備える、請求項１７の装置。
【請求項１９】
下記を備えるコンピュータ読取り可能媒体：
コンピュータにフォワード・リンク及びリバース・リンクに対する送信タイムラインを一定の奇数個のフレームを有するスーパーフレームに分割させるためのコード；
及び、コンピュータに各スーパーフレームにおけるフレームを、フレームが半二重インターレース間でスタガーされるように、複数の半二重インターレースのうちの１つに割当てさせるためのコード。
【請求項２０】
請求項19のコンピュータ読取り可能媒体において、前記コンピュータに送信タイムラインを分割させるためのコードは、コンピュータに前記フォワード・リンク及び前記リバース・リンクに対する送信タイムラインを２５のフレームを有するスーパーフレームに分割させるためのコトードを含む。
【請求項２１】
請求項19のコンピュータ読取り可能媒体において、前記複数の半二重インターレースは、第１の半二重インターレース及び第２の半二重インターレースを含む。
【請求項２２】
使用のための１つ又は複数の半二重インターレースを前記複数の半二重インターレースからコンピュータに決定させるためのコードと、
コンピュータに、前記フォワード・リンク及び前記リバース・リンク上での使用のために決定された１つ又は複数の半二重インターレースのフレームを用いて通信させるためのコードと、さらに備える請求項１９のコンピュータ読取り可能媒体。
【請求項２３】
請求項22のコンピュータ読取り可能媒体において、前記コンピュータに通信させるためのコードは、コンピュータに第１の周波数チャネルを用いてフォワード・リンク上で通信させるためのコードと、コンピュータに第２の周波数チャネルを用いてリバース・リンク上で通信させるためのコードと、を含む。
【請求項２４】
非同期アクセス・ポイントの存在下で無線通信システムにおける半二重通信をサポートするためのコンピュータ実行可能命令を実行する集積回路であって、前記命令は：
フォワード・リンクに対する送信タイムラインを、スーパーフレーム・プリアンブル及び一定の奇数個のフレームを有する各スーパーフレームに分割すること；
リバース・リンクに対する送信タイムラインを、一定の奇数個のフレームを有する各スーパーフレームに分割すること；
及び、前記フォワード・フィンク及び前記リバース・リンク上の前記スーパーフレームにおける各フレームを第１の半二重インターレース及び第２の半二重インターレースのうちの１つに割当てること、を含む集積回路。
【請求項２５】
請求項24の集積回路において、前記命令は、
前記第１の半二重インターレース及び前記第２の半二重インターレースの１つまたはそれより多くに端末を割当てること；
及び、前記１つ又は複数の関連する半二重インターレースに割当てられたフレーム上の前記フォワード・リンク及び前記リバース・リンク上で前記端末と通信すること、を含む。
【請求項２６】
無線通信システムにおける非同期的に動作するセクターとの半二重通信の方法であって、
一定の奇数個のフレームを有するフォワード・リンク及びリバース・リンクのための各スーパーフレーム上における第１のセクターとの通信のために第１の半二重インターレース及び第２の半二重インターレースの１つまたはそれより多くと関連すること、前記第１の半二重インターレース及び前記第２の半二重インターレースは各スーパーフレームにおける非オーバーラップ・フレームに割当てられる、
前記１つ又は複数の関連する半二重インターレースのフレームにおける前記第１のセクターと通信すること；
及び、前記１つ又は複数の関連する半二重インターレスのフレームにおいて前記フォワード・リンク上の第２のセクターを検知することを試みること、を備える方法。
【請求項２７】
請求項26の方法において、前記第１の半二重インターレース及び第２の半二重インターレースの１つ又はそれより多く関連することは、２５のフレームを有するフォワード・リンク及びリバース・リンクに対する各スーパーフレーム上での通信のための第１の半二重インターレース及び第２の半二重インターレーアスのうちの１つ又はそれより多くと関連することを含む。
【請求項２８】
請求項26の方法において、前記第１のセクターと通信することは、前記第１のセクターから１つ又はそれより多い取得パイロットを検知することにより、少なくとも部分的に、前記第１のセクターとの通信を確立することを含む。
【請求項２９】
請求項26の方法において、前記無線通信システムは、周波数分割二重(FDD)通信システムであり、前記フォワード・リンクは第１の周波数チャネルに関連され、前記リバース・リンクは第２の周波数チャネルに関連される。
【請求項３０】
請求項２９の方法において、前記第１のセクターと通信することは：
前記関連する半二重インターレースのうちの１つ又はそれより多くのフレームにける前記フォワード・リンク上の前記第１の周波数チャネルによってデータ及び信号の１つ又はそれより多くを受信すること；
及び、前記関連する半二重インターレースのうちの１つ又はそれより多くのフレームにおける前記リバース・リンク上の前記第２の周波数チャネルによってデータ及び信号の１つの又はそれより多くを送信すること、を含む。
【請求項３１】
請求項26の方法において、前記第２のセクターを検知することを試みることは、前記１つ又は複数の関連する半二重インターレースのフレームにおける前記フォワード・リンク上の前記第２のセクターから取得パイロットを検知することを試みることを含む。
【請求項３２】
所定の奇数個のフレーム及び半二重インターレースに割当てられる各スーパーフレームにおける非オーバーラップ・フレームを有するフォワード・リンク及びリバース・リンクに対する各スーパーフレーム上の第１のアクセス・ポイントとの通信のための半二重インターレースに関するデータを格納するメモリと、
前記半二重インターレースに割当てられたフレームを用いて前記第１のアクセス・ポイントと通信するように構成されかつ前記半二重インターレースに割当てられたフレームを用いて前記フォワード・リンク上の第２のアクセス・ポイントから１つの又はそれより多くの取得パイロットを検知するように構成されたプロセッサと、を備える無線通信装置。
【請求項３３】
請求項32の無線通信装置において、前記フォワード・リンク及び前記リバース・リンクに対する前記各スーパーフレームは、２５のフレームを含む。
【請求項３４】
請求項33の無線通信装置において、前記フォワード・リンクに対する前記各スーパーフレームはスーパーフレーム・プリアンブルをさらに含む。
【請求項３５】
請求項34の無線通信装置において、前記プロセッサは、スーパーフレーム・プリアンブルにおける前記フォワード・リンク上の前記第１のアクセス・ポイントによって送信された１つ又は複数の取得パイロットを検知することによって、少なくとも部分的に、前記第１のアクセス・ポイントとの通信を初期化するようにさらに構成されている。
【請求項３６】
非同期の基地局の存在下で無線通信システムにおける半二重通信を促進する装置であって、
サービング基地局との通信のために複数の半二重インターレースから選ばれた半二重インターレースと関連するための手段を備え、各半二重インターレースは、所定の奇数個のフレームを備えた各スーパーフレームから割当てられたフォワード・リンク及びリバース・リンクに対するフレームを含んでおり；
前記関連する半二重インターレースのフレームを用いてサービング基地局と通信するための手段を備え;
前記フォワード・リンクに対する前記関連する半二重インターレースのフレームを用いて非同期の基地局から送信される情報を検知するための手段を備える、装置。
【請求項３７】
請求項36の装置において、前記各スーパーフレームは25のフレームを備えている。
【請求項３８】
請求項36の装置において、前記複数の半二重インターレースは、第１の半二重インターレース及び第２の半二重インターレースを含んでいる。
【請求項３９】
コンピュータに無線通信システムにおけるだい１のセクターとの通信を確立させるためのコードを備え；
第１の半二重インターレース及び第２の半二重インターレースから選ばれた前記第１のセクターとの通信のために半二重インターレースに対する割当てをコンピュータに受け取らせるためのコードを備え、割当てられた半二重インターレースは、一定の奇数個のフレームを備える各スーパーフレームから割当てられるフォワード・リンク及びリバース・リンクに対するフレームを含んでおり、
コンピュータに前記割当てられた半二重インターレースのフレームを用いて前記第１のセクターと通信させるためのコードを備え、
そして、前記第２のセクターによって送信された１つ又は複数の取得パイロットを探索することにより、少なくとも部分的に、前記関連する半二重インターレースのフレームを用いて前記フォワード・リンク上の第２のセクターを検知することをコンピュータに試みさせるためのコードを備える、コンピュータ読取り可能媒体。
【請求項４０】
無線通信システムにおける非同期セクターの存在下での半二重通信のためのコンピュータ実行可能命令を実行する集積回路であって、前記命令は：
第１のセクターとの通信のために第１の半二重インターレース及び第２の半二重インターレースの１つ又はそれより多くと関連することを備え、前記第１の半二重インターレース及び前記第２の半二重インターレースは、スーパーフレームにおける所定のフレーム位置が所定の半二重インターレースに対するフォワード・リンク通信及びリバース・リンク通信の間で交互するように分割されたスーパーフレームのセットによって提供されるフォワード・リンク及びリバース・リンクに対するフレームを含んでおり；
前記１つ又は複数の関連する半二重インターレースのフレームを用いて前記フォワード・リンク及び前記リバース・リンクのうちの１つ又はそれより多くで前記第１のセクターと通信することを備え、
そして、前記１つ又は複数の関連する半二重インターレースのフレームを用いて前記フォワード・リンク上で第２のセクターによって送信される取得パイロットを探索することを備える、集積回路。
【請求項４１】
請求項40の集積回路において、前記スーパーフレームのセットにおけるスーパーフレームは、奇数個のフレームをそれぞれ備えている。
【発明の詳細な説明】
【技術分野】
【０００１】
本開示は、一般的には無線通信に関し、さらに詳細には無線通信システムにおける信号取得及び伝送のための技術に関する。
【背景技術】
【０００２】
無線通信システムは種々の通信サービスを提供するために広く展開され、例えば、音声、ビデオ、パケット・データ、放送及びメッセージ・サービスは、そのような無線通信システムによって提供されうる。これらのシステムは、利用可能なシステムリソースの共有により多数の端末に対する通信をサポートすることができる多元接続システムでありうる。そのような多元接続システムの実例は、符号分割多元接続(CDMA)システム、時分割多元接続(TDMA)システム、周波数分割多元接続(FDMA)システム及び直交周波数分割多元接続(OFDMA)システムを含む。
【０００３】
無線通信システム、フォワード及びリバース・リンクでの基地局と無線端末の間のデータ伝送のために周波数分割複信(FDD)を利用することが多く、その場合、無線端末がフォワード・リンク(FL)でのデータの受信とリバース・リンク(RL)でのデータの送信とを同時にできるようにフォワード及びリバース・リンクに対して別個のチャネルが使用される。フォワード・リンク（又は「ダウンリンク」）は、基地局から１つ又は複数の端末への通信を意味し、リバース・リンク（又は「アップリンク」）は、端末から１つ又は複数の基地局への通信を意味する。
【０００４】
FDDシステムで動作するように設計された端末は、同時のFL及びRL通信を可能にするためにFL通信とRL通信を異なる周波数帯に割当てるデュプレクサを使用して同時に受信し送信することができる。同時に受信し送信することができない端末をサポートするために、FDDシステムは、半二重インターレース（half-duplex interlace）で通信する基地局と端末がFL送信とRL送信との間で交互する（alternate）ことができるようにフォワード及びリバース・リンク上のフレームを半二重インターレースに分割することによって半二重通信（half-duplex communication）を追加的に提供することができる。半二重インターレースは、通常、フォワード及びリバース・リンクをスーパーフレームにグループ分けし、そして全インターレースが各スーパーフレームにおいて等しい数のフレームを割当てられかつスーパーフレーム内の所定のフレーム位置が所定のインターレースに対する特定の通信リンク（すなわち、フォワード・リンク又はリバース・リンク）に常に対応するように、各スーパーフレーム内のフレームを半二重インターレース間で分割することによって生成される。
【０００５】
無線通信システムにおける端末は、それの近傍で、どの基地局が送信しているかを知らなくてもよい。更に、基地局が非同期的に動作するシステムでは、端末は、特定の基地局との通信に必要なタイミング情報を知らなくてもよい。したがって、システムにおける基地局からの送信のために検知し、かつ各検知された興味のある基地局のタイミング及び周波数に同期させるために、端末は、フォワード・リンク上での信号取得を行なうことができる。基地局は、信号取得を援助するため及び端末が基地局を検知できるようにするために、取得パイロット又は他の信号を送信できる。しかし、基地局が非同期的に動作する半二重通信を利用するFDDシステムでは、基地局によって送信された取得パイロットのうちのいくつか又はすべてが、単一の半二重インターレース上で動作する端末のRL送信時に、排他的に送信されてもよい。その結果、単一の半二重インターレース上で動作する端末は、システム内の非同期基地局を発見することができずに、システム効率の低下を生ずる可能性がある。
【発明の概要】
【０００６】
下記は、そのような実施の形態の基本的理解を提供するために、開示された実施の形態の簡略な概要を提示する。この概要は、すべての意図された実施の形態の広範囲な概観でなく、重要な又は重大な要素を識別することもあるいはそのような実施の形態の範囲を画定することも意図されていない。それの唯一の目的は、後で提示される詳細な説明に対する除外として単純化された形式で開示される実施の形態のいくつかの概念を提示することである。
【０００７】
記述され実施の形態は、半二重の通信及び非同期的に動作する基地局を利用するFDDシステムにおける信号取得に対するサポートを提供することによる前述の問題を緩和する。さらに詳細には、インターレースされたフォワード・リンク及びリバース・リンク・スーパーフレームは、１つのスーパーフレームにおける所定のフレーム位置が特定の半二重インターレースに対するフォワード・リンク通信とリバース・リンク通信の間で交互するような構造である。ここに記述される１つの実例では、これは、奇数個のフレームを各フォワード・リンク及びリバース・リンク・スーパーフレームにグループ分けしかつフォワード・リンク及びリバース・リンク・スーパーフレームにおけるフレームを第１の半二重インターレース及び第２の半二重インターレースに交互する態様で割当てることによって達成される。所定のフレーム位置における半二重インターレースによって使用される通信リンクを変えることによって、単一の半二重インターレース上で動作する端末は、取得信号が送信される時間に関係なく、非同期的に動作する基地局からの取得信号を検知できる。
【０００８】
１つの態様によれば、無線通信システムにおける非同期セクターの存在下で半二重通信を提供する方法がここに記述される。その方法は、フォワード・リンク及びリバース・リンク上の送信タイムライン（transmission timelines）を一定の奇数個のフレームを有するスーパーフレームに分割することを備える。さらに、この方法は、フォワード・リンク及びリバース・リンク上のスーパーフレームにおける各フレームを第１の半二重インターレース及び第２の半二重インターレースのうちの１つに割当てることを含むことができる。この方法はまた、１つ又は複数の半二重インターレースに端末を関連させることを含むことができる。さらに、この方法は、端末に関連した１つ又は複数の半二重インターレースに割り当てられたフレームを使用して端末と通信することを含むことができる。
【０００９】
他の態様は、第１の半二重インターレース及び第２の半二重インターレースに関係するデータを格納するメモリを含むことができ、第１の半二重インターレース及び第２の半二重インターレースは、所定の奇数個のフレームを有するフォワード・リンク及びリバース・リンク上の各スーパーフレーム間に割当てられたフレームを有し、フォワード・リンク及びリバース・リンク上のフレームが第１の半二重インターレース及び第２の半二重インターレースの間でスタガー(staggered)される。
【００１０】
無線通信装置はまた、半二重インターレースにアクセス端末を関連させ、かつ、関連する半二重インターレースのフレームを使用してアクセス端末と通信するように構成されたプロセッサを含むことができる。
【００１１】
さらに他の態様は、非同期的に動作する無線通信システムにおける半二重通信を促進する装置に関する。この装置は、１つの組のスーパーフレームによって提供されるフォワード・リンク及びリバース・リンクに対するフレームを第１の半二重インターレースと第２の半二重インターレースの間で分割するための手段を含むことができ、１つのスｐ−アーフレームにおける所定のフレーム位置が、所定の半二重インターレースに対するフォワード・リンク通信とリバース・リンク通信の間で交互する。この装置は、無線端末との通信のための１つ又は複数の半二重インターレースを決定するための手段をさらに含むことができる。
【００１２】
さらに他の態様は、コンピュータにフォワード・リンク及びリバース・リンクに対する送信タイムラインを一定の奇数個のフレームを有するスーパーフレームに分割させるためのコードを備えうるコンピュータ読取り可能媒体に関する。さらに、コンピュータ読取り可能媒体は、コンピュータに各スーパーフレームにおけるフレームを複数の半二重インターレースのうちの１つに割当てさせるためのコードを含むことができ、フレームが半二重インターレース間でスタガーされる。
【００１３】
他の態様によれば、非同期アクセス・ポイントの存在下で無線通信システムでの半二重通信をサポートするためのコンピュータ実行可能命令を実行することができる集積回路がここに記述される。これらの命令は、フォワード・リンクに対する送信タイムラインを、スーパーフレーム・プリアンブル及び一定の奇数個のフレームを有する各スーパーフレームに分割するｋとを備えてもよい。さらに、その命令は、リバース・リンクに対する送信タイムラインを、一定の奇数個のフレームを有する各スーパーフレームに分割することを含んでもよい。さらに、この命令は、フォワード・リンク及びリバース・リンク上のスーパーフレームにおける各フレームを第１の半二重インターレース及び第２の半二重インターレースのうちの１つに割当てることを含んでもよい。
【００１４】
さらに他の態様によれば、無線通信システムにおける非同期的に動作するセクターとの半二重通信の方法がここに記述される。この方法は、一定の奇数個のフレームを有するフォワード・リンク及びリバース・リンクに対する各スーパーフレーム上の第１のセクターとの通信のために第１の半二重インターレース及び第２の半二重インターレースの１つ又はそれより多くと関連することを含むことができ、第１の半二重インターレース及び第２の半二重インターレースは各スーパーフレームにおける非オーバーラップ・フレームに割当てられる。さらに、この方法は、１つ又は複数の関連する半二重インターレースのフレームにおける第１のセクターと通信することを備えうる。さらに、この方法は、１つ又は複数の関連する半二重インターレースのフレームにおけるフォワード・リンク上の第２のセクターを検知する試みをすることを含むことができる。
【００１５】
他の態様は、所定の奇数個のフレーム及び半二重インターレースに割当てられた各スーパーフレームにおける非オーバーラップ・フレームを有するフォワード・リンク及びリバース・リンクに対する各スーパーフレーム上の第１のアクセス・ポイントとの通信のための半二重インターレースに関するデータを格納するメモリを含むことができる。その無線通信装置は、半二重インターレースに割当てられたフレームを用いて第１のアクセス・ポイントと通信するように及び半二重インターレースに割当てられたフレームを用いてフォワード・リンク上の第２のサクセス・ポイントからの１つ又はそれより多い取得パイロットを検知するように構成されたプロセッサをさらに含むことができる。
【００１６】
さらに他の態様は、非同期基地局がある状態で無線通信システムでの半二重通信を促進する装置に関する。この装置は、サービング基地局との通信のために複数の半二重インターレースから選ばれた半二重インターレースと関連付けるための手段を含むことができ、各半二重インターレースは、所定の奇数個のフレームを含む各スーパーフレームから割当てられたフォワード・リンク及びリバース・リンクに対するフレームを含む。この装置は、関連する半二重のインターレースのフレームを使用して、サービング基地局と通信するための手段をさらに含むことができる。さらに、この装置は、フォワード・リンクに対して関連する半二重インターレースのフレームを使用して、非同期基地局から送信された情報を検知するための手段を含むことができる。
【００１７】
さらに他の態様は、無線通信システムにおいてコンピュータに第１のセクターとの通信を確立させるためにコード備えることができるコンピュータ読み取り可能媒体に関係する。さらに、このコンピュータ読取り可能媒体は、第１の半二重インターレース及び第２の半二重インターレースから選ばれた第１のセクターとの通信のための半二重インターレースに対する割当てをコンピュータに受け取らせるためのコードを含むことができ、割当てられた半二重インターレースは、一定の奇数個のフレームを含むそれぞれのスーパーフレームから割当てられたフォワード・リンク及びリバース・リンクのためのフレームを含む。このコンピュータ読取り可能媒体は、割当てられた半二重インターレースのフレームを用いてコンピュータに第１のセクターと通信させるためのコードをさらに含むことができる。さらに、このコンピュータ読取り可能媒体は、第2のセクターによって送信された1つ又はそれより多い取得パイロットを探索することにより、少なくとも部分的に、関連する半二重インターレースのフレームを使用するフォワード・リンク上の第２のセクターを検知することをコンピュータに試みさせるためのコードを含むことができる。
【００１８】
他の態様は、無線通信システムにおいて非同期セクターの存在下で半二重通信のためのコンピュータ実行可能命令を実行する集積回路に関係する。これらの命令は、第１のセクターとの通信のために第１の半二重インターレース及び第２の半二重インターレースの１つ又はそれよ多くと関連付けることを含むことができ、第１の半二重インターレース及び第２の半二重インターレースは、スーパーフレームにおける所定のフレーム位置が所定の半二重インターレースに対するフォワード・リンク通信とリバース・リンク通信との間で交互するように分割された１つの組のスーパーフレームによって提供されるフォワード・リンク及びリバース・リンクに対するフレームを含む。さらに、その命令は、１つ又は複数の関連する半二重インターレースのフレームを用いてフォワード・リンク及びリバース・リンクの１つ又はそれより多く上で第１のセクターと通信することを備えることができる。さらに、その命令は、１つ又は複数の関連する半二重インターレースのフレームを用いるフォワード・リンク上の第２のセクターによって送信される取得パイロットを探索することを含むことができる。
【００１９】
上記の及び関連する目的の達成のために、１つ又は複数の実施の形態は、後で詳細に記述されかつ請求項で特に指摘される特徴を備える。下記の記述及び添付図面は、示された実施の形態のある例示的な態様を詳細に説明する。しかし、これらの態様は、種々の実施の形態の原理が用いられる種々の方法のうちの幾つかだけを示している。さらに、開示された実施の形態は、そのような態様及びそれらの相当物をすべて含むように意図される。
【図面の簡単な説明】
【００２０】
【図１】ここに述べられる種々の態様による無線多元接続通信システムを実例示する。
【図２】種々の態様による非同期モードで動作する無線通信システムでの半二重通信を促進するシステムのブロック図である。
【図３】種々の態様による実実例のFDD半二重スーパーフレーム構造を実例示する。
【図４Ａ】無線通信システムにおける非同期的に動作するセクターにより利用される実実例のスーパーフレーム構造を実例示する。
【図４Ｂ】無線通信システムにおける非同期的に動作するセクターにより利用される実実例のスーパーフレーム構造を実例示する。
【図５Ａ】無線通信システムにおける非同期的に動作するセクターとの通信を促進する実実例のスーパーフレーム構造を実例示する。
【図５Ｂ】無線通信システムにおける非同期的に動作するセクターとの通信を促進する実実例のスーパーフレーム構造を実例示する。
【図６】無線通信システムにおけるアクセス端末との半二重通信のための方法の流れ図である。
【図７】無線通信システムにおける１つ又は複数の非同期的に動作するセクターとの半二重通信のための方法の流れ図である。
【図８】ここに記述される１つ又は複数の実施の形態が機能しうる実例示の無線通信システムを実例示するブロック図である。
【図９】種々の態様による非同期的に動作する無線通信システムにおいて半二重通信を調整するシステムのブロック図である。
【図１０】種々の態様による非同期的に動作する無線通信システムにおいて半二重通信を調整するシステムのブロック図である。
【図１１】無線端末との半二重通信を促進する装置のブロック図である。
【図１２】１つ又は複数の非同期無線アクセス・ポイントとの半二重通信を促進する装置のブロック図である。
【詳細な説明】
【００２１】
全体にわたって同様の要素を示すために同様の参照番号が用いられる図面を参照して、種々の実施の形態がいま説明される。下記の記述では、説明の目的で、１つ又は複数の態様の完全な理解を提供するために、多数の特定の詳細が記述される。しかし、そのような実施の形態は、これらの特定の詳細なしで実施されてもよい。他の場合には、１つ又は複数の実施の形態について記述することを促進するために、公知の構造及び装置がブロック図の形で示される。
【００２２】
本出願で使用されるように、「コンポーネント」、「モジュール」、「システム」等の用語は、コンピュータ関連の実体、ハードウェア、ファームウェア、ハードウェアとソフトウェアの組み合わせ、ソフトウェア、あるいは実行でのソフトウェアを示すように意図されている。例えば、コンポーネントは、プロセッサ上で走るプロセス、プロセッサ、オブジェクト、実行可能、実行のスレッド、プログラム、及び／又は、コンピュータであってもよいが、それらであることに限定されない。実例示として、計算装置で走るアプリケーション及び計算装置は両方ともコンポーネントでありうる。１つ又は複数のコンポーネントは、実行のプロセス及び／又はスレッド内に存在してもよく、１つコンポーネントは1つのコンピュータに局所化され及び／又は2つの又はそれより多いコンピュータ間に分配されでもよい。さらに、これらのコンポーネントはその上に種々のデータ構造を格納した種々のコンピュータ読取り可能媒体から実行することができる。それらのコンポーネントは、１つ又は複数のデータ・パケット(例えば、ローカル・システム、分散システムにおける他のコンポーネントと対話する、及び／又はインターネットのようなネットワークで信号により他のシステムと対話する１つのコンポーネントからのデータ)を有する信号に従ってローカル及び／又はプロセスにより通信してもよい。
【００２３】
更に、種々の実施の形態が、無線端末及び／又は基地局に関してここに記述される。無線端末は、ユーザに音声及び／又はデータ接続を提供する装置を指してもよい。無線端末は、ラップトップ・コンピュータ又はデスクトップ・コンピュータのような計算装置に接続されてもよく、あるいは、それは、携帯情報端末(PDA)のような内蔵装置であってもよい。無線端末はまた、システム、加入者ユニット、加入者局装置、移動局、モバイル、遠隔局、アクセス・ポイント、遠隔端末、アクセス端末、ユーザ端末、ユーザ・エージェント、ユーザ装置あるいはユーザ設備と呼ぶことができる。無線端末は、加入者局、無線装置、携帯電話、PCS電話、コードレス電話、セッション・イニシエーション・プロトコル(SIP)電話、ワイヤレス・ローカル・ループ(WLL)ステーション、携帯情報端末(PDA)、無線接続能力を有しているハンドヘルド装置あるいは無線モデムに接続された他の処理装置であってもよい。基地局(例えば、アクセス・ポイント)は、１つ又は複数のセクターを通じて、エアー・インターフェースによって無線端末と通信するアクセス・ネットワーク中の装置を指してもよい。基地局は、受信エアー・インターフェース・フレームをIPパケットに変換することにより、無線端末とインターネット・プロトコル(IP)ネットワークを含んでいてもアクセス・ネットワークとの間のルータとして作用してもよい。基地局はまた、さらにエアー・インターフェースのための属性の管理を調整する。
【００２４】
さらに、ここに記述された種々の態様又は特徴は、方法、又は標準的なプログラミング及び／又はエンジニアリング技術を使用する製品として実装されてもよい。ここで使用される「製品」（"article of manufacture"）という用語は、任意のコンピュータ読取り可能装置、キャリアあるいは媒体からアクセス可能なコンピュータ・プログラムを包含するように意図される。例えば、コンピュータ読取り可能な媒体は、磁気記憶装置(例えばハードディスク、フロッピー（登録商標）ディスク、磁気ストリップ...)、光ディスク(例えばコンパクト・ディスク(CD)(ディジタル多用途ディスク(DVD)...)、スマート・カード及びフラッシュメモリ装置(例えばカード、ステイック、キー・ドライブ...)うぃ含んでもよいが、それらに限定されない。
【００２５】
種々の実施の形態は、複数の装置、コンポーネント、モジュール、などを含んでいてもよいシステムについて提示されるだろう。種々のシステムは、付加的装置、コンポーネント、モジュール、等を含んでもよく及び／又は図面に関して論述される装置、コンポーネント、モジュール、等の全てを含まなくてもよいことが理解されかつ認識されるべきである。これらのアプローチの組合せも使用されてもよい。
【００２６】
図面をいま参照ると、図1は種々の態様による無線多元接続通信システム100の実例示である。１つの実例では、無線多元接続通信システム100は、複数の基地局110及び複数の端末120を含む。さらに、１つ又は複数の基地局110が１つ又は複数の端末120と通信することができる。非制限的な実例として、基地局110はアクセス・ポイント(ノードB)、及び／又は他の適切なネットワーク実体であってもよい。各基地局110は、特定の地理的なエリア102に対して通信カバレージを提供する。ここにおいて及び技術的に一般に使用されるように、用語「セル」は、その用語が使用される状況に応じて基地局110及び／又はそれのカバレージエリア（coverage area）102を指すことができる。システム容量を改善するために、基地局110に対応するカバレージエリア102は、複数のより小さなエリア(例えば、エリア104a、104b及び104c)に分割されてもよい。より小さなエリア104a、104b及び104cのそれぞれは、各ベース・トランシーバ・サブシステム(BTS、図示なし)によってサービスされてもよい。ここにおいて及び技術的に一般に使用されるように、用語「セクター」は、その用語が使用される状況に応じて、BTS及び／又はそれのカバレージエリアを指すことができる。複数のセクター104を有するセル102では、そのセル102のすべてのセクター104に対するBTSは、セル102のための基地局110内に配置されてもよい。
【００２７】
他の実例では、システム100は、１つ又は複数の基地局110に結合できかつ基地局110に対する調整及び制御を提供することができるシステム・コントローラ130を使用して、集中アーキテクチャを利用することができる。他の態様によれば、システム・コントローラ130は単一のネットワーク実体あるいはネットワーク実体の集合であってもよい。さらに、システム100は、基地局110が互いと必要に応じて通信することを可能にするために分散アーキテクチャを利用してもよい。
【００２８】
1つの態様によれば、端末120はシステム100の全体にわたって分散してもよい。端末120はそれぞれ据置型又はモバイルであってもよい。非限定的な実例として、端末120はアクセス端末(AT)、移動局、ユーザ設備、加入者局、及び／又は他の適切なネットワーク実体であってもよい。端末は、無線装置、携帯電話、携帯情報端末(PDA)、無線モデム、ハンドヘルド装置、等であってもよい。
【００２９】
他の態様によれば、システム100は、FDDを利用し、そして2つの別個の周波数チャネルによりフォワード・リンク(FL)及びリバース・リンク(RL)上での同時通信を利用してもよい。さらに、システム100は、全二重通信ができる端末120(「全二重端末」)に対する全二重通信をサポートしてもよい。ここにおいて及び技術的に一般に使用されるように、全二重は、ステーション(例えば基地局110あるいは端末120)が、同時に送信しかつ受信できるモードを指す。１つの実例では、全二重動作が可能なステーションは送信と受信の両方のための単一のアンテナを装備していてもよい。したがって、ステーションは、データ受信用のアンテナから受信機まで受信信号を送り、データ伝送用の送信機からアンテナまで調整された信号を送ることができるデュプレクサを有していてよい。
【００３０】
さらに、システム100はまた、全二重動作ができない端末120のための半二重(「半二重端末」)に対して半二重通信をサポートしてもよい。ここにおいて及び技術的に一般に使用されるように、半二重は、ステーションが所定の時点において送信又は受信できるが、送信と受信とを同時にはできないモードを指す。１つの実例では、半二重動作しかできないステーションは、送信及び受信の両方のために単一のアンテナを装備していてもよい。したがって、そのステーションは、データ受信の期間に受信機にアンテナを接続することができ、かつ、データ伝送の期間にアンテナに送信機を接続することができるスイッチを有してもよい。
【００３１】
他の１つの実例では、システム100は、CDMA、TDMA、FDMA、OFDMA、単一キャリアのFDMA(SC-FDMA)のような１つ又は複数の多元接続スキーム、及び／又は他の適切な多元接続スキームを利用してもよい。OFDMAは直交周波数分割多重化(OFDM)を利用し、そして、SC-FDMAは単一キャリア周波数分割多重化(SC-FDM)を利用する。OFDM及びSC-FDMは、システム帯域幅を、それぞれデータで変調されうる複数の直交サブキャリア(例えば、トーン、ビン...)に分割することができる。典型的には、変調記号は、OFDMを備えた周波数ドメイン、及びSC-FDMを備えた時間ドメインで送られる。さらに、システム100は、OFDMA及びCDMAのような多元接続スキームの組合せを利用してもよい。さらに、システム100は、データ及び信号がフォワード及びリバース・リンク上で送信される方法を示すために種々のフレーミング構造（framing structures）を利用してもよい。明瞭のために、システム100が利用してもよい非限定的な実例がより詳細にここに記述される。
【００３２】
図2は、ここに記述された種々の態様による非同期モードで動作する無線通信システムでの半二重の通信を促進するシステム200のブロック図である。１つの実例では、システム200は１つ又は複数の基地局210及び１つ又は複数の端末220を含んでいる。1つの態様によれば、基地局210及び端末220は、基地局210おけるアンテナ216及び端末220におけるアンテナ226を経由してフォワード・リンク(FL)及びリバース・リンク(RL)上で通信することができる。システム200では各基地局210に１本のアンテナ216だけが実例示されそして各端末220に1本のアンテナ226だけが実例示されているが、基地局210及び／又は端末220は、システム200における複数の基地局210及び／又は端末220ならびに他の適切なネットワーク実体(例えばシステムコントローラ130)と通信するための複数のアンテナ216及び／又は226を有しうることが認識されるべきである。
【００３３】
1つの態様によれば、基地局210はパイロット生成コンポーネント212を利用することによりシステム200に端末220との通信を確立するのに必要な情報を生成し送信することができる。その情報は、信号取得プロセスを受けるためにパイロット検知コンポーネント222を使用することにより端末220によって受け取られて利用することができる。実例示として、パイロット生成コンポーネント212によって生成されかつパイロット検知コンポーネント222によって処理された情報は、システム200に対するタイミング及び同期情報、パイロット生成コンポーネント212に関連した基地局210に対するタイミング及び同期情報、パイロット生成コンポーネント212に関連した基地局210の識別（identity）、システム200に関するオーバヘッド情報、及び／又は他の適切な情報に関係しうる。1つの特定の非限定的な実例では、システム200における１つ又は複数の基地局210は、複数の（multiple）アンテナ・グループ(図示なし)を含むことができ、それらのアンテナ・グループのそれぞれは、個々のカバレージ・エリア(例えばセクター104)にサーブ（serve）することができ、そして、１つ又は複数の端末220との通信を確立するために個々のパイロット生成コンポーネント212を含むことができる。
【００３４】
１つの実例では、基地局210におけるパイロット生成コンポーネント212は、１つ又は複数の取得パイロット及び／又は他の信号における端末220との通信を確立するために必要な情報を提供することができる。非限定の実例として、これらの信号は、時分割多重(TDM)パイロットのような１つ又は複数の時間ドメイン・パイロットを含むことができる。これらの信号を受け取ると、端末220におけるパイロット検知コンポーネント222は、その信号を送信した基地局210との通信を確立するために取得パイロット及び／又は他の信号に対して相関しうる。端末220においてパイロット検知コンポーネント222によって行なわれる相関は、例えば直接の(例えば、リアルタイムの)相関あるいは遅延した相関でありうる。
【００３５】
他の態様によれば、システム200はFDD通信を利用することができる。しかし、１つ又は複数の端末220は、FDD通信を利用するシステムでの動作のために設計されなくてもよい。例えば、端末220は、従来のFDD全二重通信で要求されるように、端末220が同時に送信と受信をできるようにするためのデュプレクサ又は他の手段を欠いてもよい。これらの端末220がシステム200での機能できるようにするために、基地局210は、FL及びRL送信タイムラインを複数の半二重インターレースに分割することによってFDD半二重通信機能性を提供するインターレーシング・コンポーネント（interlacing components）214を含んでいてもよい。さらに、１つ又は複数の端末220もインターレーシング・コンポーネント224を有していてもよい。
【００３６】
１つの実例では、インターレーシング・コンポーネント214及び224は、FL及びRL送信タイムラインをスーパーフレームに分割でき、それらのスーパーフレームのそれぞれは、スーパーフレーム・プリアンブル（superframe preamble）及び／又は所定の数の物理層フレーム（PHYフレーム、単に「フレーム」）にさらに分割されうる。あるいは、FL及びRL送信タイムラインのためのスーパーフレーム構造は、他のネットワーク実体(例えばシステム・コントローラ130)によって予め構成されうる。実例示として、各FLスーパーフレームは、所定の数のフレームが後続するスーパーフレーム・プリアンブルを含むように構成することができ、また、各RLスーパーフレームは、フォワード・リンク上の対応するフレームと一致するフ所定の数のレームを含むように構成することができる。フレームは、時間的に隣接するように構成することができ、あるいは、半二重インターレース上の通信リンク間の推移時における干渉を防ぐためにフレーム間にガードタイム（guard time）が適用されうる。
【００３７】
他の実例では、インターレーシング・コンポーネント214及び224は、等しい半二重インターレースの間でFL及びRL送信タイムラインを分割することができる。1つの具体実例では、インターレーシング・コンポーネント214及び／又は224は、フォワード及びリバース・リンク上でインターレスにフレームを交互の態様で割当てることによって、第１の半二重インターレースと第２の半二重インターレースの間でFL及びRL送信タイムラインを分割できる。FL及びRL送信タイムラインを半二重インターレースに分割した後で、インターレーシング・コンポーネント214及び224は、端末220を１つ又は複数のインターレースに関連させてもよい。割り当ては、例えば、インターレース間のロード・バランシング（load balancing）、端末220からの識別情報、及び／又は他の適切な要因に基づくことができる。さらに、端末220は、端末220の通信能力に基づいて１つ又は複数のインターレースにさらに関連づけられうる。例えば、システム200において全二重動作が可能な端末220は、すべてのインターレースに関連づけることができ、かつ、任意のインターレースにおいてフォワード及びリバース・リンク上で基地局210と通信することを許容されうる。
【００３８】
他の態様によれば、各基地局210におけるパイロット生成コンポーネント212は、フォワード・リンク上のスーパーフレーム・プリアンブルの端末220におけるパイロット検知コンポーネント222による信号取得に必要な信号を送信することができる。あるいは、取得信号は、フォワード・リンク中の１つ又は複数のフレーム上で送信することができる。１つの実例では、基地局210及び／又は基地局210内のアンテナ・グループによって使用される送信タイムラインが時間的に整列する必要がないように、システム200は、非同期的に動作するように構成されうる。しかし、システム200に対するそのような非同期動作モードは、インターレーシング・コンポーネント214及び224によりサポートされる半二重通信と矛盾することがありうる。特に、基地局210の送信タイムラインが整列する必要はないので、特定のインターレースに関連した半二重端末が取得信号を検知できない場合には、基地局210内のパイロット生成コンポーネント214は、半二重端末のリバース・リンクと関連した時点又は他の時点において取得信号を常に送信するように構成されうる。その結果、基地局210及び／又は基地局210内のアンテナ・グループが取得信号を送信している場合を検知することができないことがありえ、したがって、その実体との通信を確立することができなくてもよくない場合、１つ又は複数の端末220が検知することができないことがありうる。
【００３９】
システム200に対する非同期動作モードによって提示される問題を緩和するために、インターレーシング・コンポーネント214及び224は、所定の半二重インターレースに対する各スーパーフレームにおける所定のフレーム位置がフォワード・リンク通信とリバース・リンク送信の間で交互するように、FL及びRLスーパーフレームを構成できる。特定の非限定的実例として、インターレーシング・コンポーネント214及び224は、各スーパーフレームにおける最初のフレーム位置が所定の半二重インターレースに対してフォワード・リンク通信とリバース・リンク通信との間で交互するように、各FL及びRLスーパーフレームにおける交互するフレームを半二重インターレース間に割当てることができる。さらなる特定の非限定的実例では、インターレーシング・コンポーネント214及び224は、各FL及びRLスーパーフレームにおける奇数個のフレームをグループ分けしかつそのスーパーフレーム内のフレームを交互する態様で半二重インターレース間に割当てることによって、所定のフレーム位置に対応するインターレース割当てを交互することができる。そのような割当てスキームは、インターレースが１つのスーパーフレームにおける各通信リンクに対して奇数個のフレームを有するように、所定の半二重インターレースに対するFL及びRL通信の間で所定のフレーム位置における１つのフレームを交替させることができる。所定のフレーム位置で半二重インターレースによって使用される通信リンクを変えることによって、単一の半二重のインターレース上で動作する端末220は、取得信号が送信される時間に関係なく、非同期的に動作する基地局210からの取得信号を検知できる。例えば、非同期基地局210が端末220に対してRL送信を割当てられた時間において情報を送信する場合には、基地局210及び／又は端末220におけるインターレーシング・コンポーネント214及び／又は224は、取得情報が端末220のためのRL送信に対して割当てられた時間において後続のスーパーフレームで送信されて、その情報が端末220によって検知できるように構成されうる。
【００４０】
図3は、ここに記述される種々の態様による実例のFDD半二重のスーパーフレーム構造300を例示するブロック図である。１つの実例では、フォワード・リンク送信タイムライン310及びリバース・リンク送信タイムライン320は、それぞれのスーパーフレーム315及び325に分割することができる。各フォワード・リンク・スーパーフレーム315は、スーパーフレーム構造300によって示されるように時間的に所定の個数のフレームが後続するプリアンブルを占有するために、対応するリバース・リンク・スーパーフレーム325と結合できる。スーパーフレーム構造300によって例示された非限定の実例では、フォワード・リンク・スーパーフレーム315は、24個のフォワード・リンク・フレームが後続するプリアンブルを含むことができ、そして、対応するリバース・リンク・スーパーフレーム325は、フォワード・リンク・スーパーフレーム315におけるスーパーフレーム・プリアンブルに対応する時間間隔だけ先行した24個のリバース・リンク・フレームを含むことができる。
【００４１】
他の実例では、2つの半二重インターレース、半二重インターレース0及び半二重インターレース1が定義できる。用語「半二重のインターレース」が本明細書で使用されているが、これは、単使用できる1つの用語にすぎないこと、及びここに記述された態様に関して任意適当な用語が使用されてもよいことが認識されるべきである。１つの実例では、半二重インターレース0は、スーパーフレーム・プリアンブルの後で第１のフォワード・リンク・フレームで始まる各フォワード・リンク・スーパーフレーム315における１つおきのフォワード・リンク・フレームと、各スーパーフレームにおける第２のリバース・リンク・フレームで始まる各リバース・リンク・スーパーフレーム325における１つおきのリバース・リンク・フレームを含むことができる。他の実例では、半二重インターレース1は、スーパーフレーム・プリアンブルの後における第２のフォワード・リンク・フレームで始まる各フォワード・リンク・スーパーフレーム315における１つおきのフォワード・リンク・フレームと、各スーパーフレームにおいて第１のリバース・リンクで始まる各リバース・リンク・スーパーフレーム325における１つおきのリバース・リンク・フレームを含むことができる。したがって、半二重インターレース1は半二重インターレース0に相補性をなしうる。さらに詳細には、半二重インターレース1は、半二重インターレース0に含まれたリバース・リンク及びフォワード・リンク・フレームにそれぞれ代えて、フォワード・リンク及びリバース・リンク・フレームを含むことができる。さらに、両方の半二重インターレースは、共通のスーパーフレーム・プリアンブルを共有することができる。各半二重インターレースはまた、フォワード及びリバース・リンクに対する時間的に非オーバーラップのフレームを含んでもよく、これは、フォワード・リンク・フレームがリバース・リンク・フレームと時間的にオーバーラップしないことを意味する。
【００４２】
上記の実例は、2つの半二重インターレースを有するスーパーフレーム構造300について記述しているが、任意の数の半二重インターレースが定義されうることが認識されるべきである。さらに、半二重インターレースは、互いにスタガーされた同数のフォワード・リンク及びリバース・リンク・フレームを含んでもよく、あるいは、半二重インターレースは異なる数のフォワード・リンク及びリバース・リンク・フレーム含んでいてもよい。さらに、スーパーフレーム構造500における各半二重インターレースのフォワード・リンク及びリバース・リンク・フレームは互いに接しているが、送信と受信の間又は受信と送信の間で切替えるための量の時間を半二重端末に与えるために、各各半二重インターレースのフォワード・リンク及びリバース・リンク・フレームの間にガードタイム（guard time）が与えられてもよい。
【００４３】
１つの実例では、フォワード・リンク・タイムライン310及びリバース・リンク・タイムライン320によって示されているように、各リンクに対する半二重インターレース0のフレームは順次増加するインデックスを割当てられる。同様に、半二重のインターレース0のフォワード・リンク・フレームnが半二重インターレース1のリバース・リンク・フレームn'に続きかつ半二重インターレース1のリバース・リンク・フレームn'が半二重インターレース0のリバース・リンク・フレームnに続くように、各リンクに対する半二重インターレース1のフレームはまた、プライム表記法(例えば、1'、2'...)を使用して、順次増加するインデックスを割当てられうる。
【００４４】
スーパーフレーム構造300を利用する無線通信システムにおける端末(例えば、端末220)は、種々の方法で半二重インターレースの1つまたはそれより多くによってシステムにアクセスすることができる。１つの実例では、端末は、システムにアクセスするために2つの半二重インターレースのうちの1つを任意に選択することができる。他の実例では、端末は、システム・アクセスに使用されるべき半二重インターレースを決定することができ、かつ、決定された半二重のインターレース経由でシステムにアクセスできる。システム・アクセスのために、どの半二重インターレースを使用すべきかに関する情報は、端末によって先験的に知られる、又はある他の方法で提供される、スーパーフレーム・プリアンブルにおける端末に通信されうる。追加的に及び／又は代替的に、基地局(例えば、基地局210)は、端末の能力を決定し、かつ、その端末を１つ又は複数の半二重インターレースに関連させてもよい。
【００４５】
1つの態様によれば、データ及び信号は、基地局と端末に割り当てられた半二重インターレースのフレームにおける半二重端末との間で交換される。フォワード・リンクにおいては、基地局は、端末に割当てられた半二重インターレースのフォワード・リンク・フレームだけにおける端末にデータ及び信号(例えば、電力制御ビット、及び消去指標、等)を端末に送信してもよい。リバース・リンクにおいては、端末は、その端末に割り当てられた半二重インターレースのリバース・リンク・フレームのみにおける基地局へデータ及び信号を送信してもよい。
【００４６】
図4A及び図4Bは、非同期モードで動作する無線通信システム(例えば、基地局200)におけるセクター(例えば、基地局210あるいは１つ又は複数の基地局210内のアンテナ基)によって利用されうる実例のスーパーフレーム構造400を例示するブロック図である。図4Aを参照すると、非同期セクターのための送信タイムラインは、一連のFLスーパーフレーム415及びRLスーパーフレーム425に対して例示される。１つの実例では、送信タイムライン410及び420は、スーパーフレーム構造400によって例示されたシステムにおけるセクターのためのFLとRLの送信タイムラインにそれぞれ対応する。図4Aによって例示されるように、送信タイムライン410及び420は、スーパーフレーム構造300に関して例示されかつ記述されたそれぞれの送信タイムライン310及び320と構造が類似していてもよい。特定の実例として、タイムライン410における各FLスーパーフレーム415は、24個のフレームが後続するスーパーフレーム・プリアンブルを含んでいてもよく、また、タイムライン420における各RLスーパーフレーム425は、対応するFLスーパーフレーム415におけるFLスーパーフレーム・プリアンブルによって先行されるが先行する24個のフレームを含むことができる。さらに、イムライン410及び420におけるフレームは、スーパーフレーム構造400で示されるようにFLフレーム及びRLフレームがインターレース間でスタガーされるように、交互する態様で半二重のインターレース間で分割されうる。従って、等しい数のFL及びRLフレームが、スーパーフレーム構造400においてスーパーフレーム415及び425における各インターレースに対して割当てることができ、また、スーパーフレームにおける所定のフレーム位置は所定のインターレースに対する所定の通信リンクに常に対応させるように構成することができる。
【００４７】
1つの態様によれば、送信タイムライン430は、タイムライン410及び420に対応するセクターから非同期的に動作する近隣のセクターのフォワード・リンクを例示する。スーパーフレーム構造400によって例示されるように、オフセットが非同期セクターのタイムライン430におけるスーパーフレーム・プリアンブルと、FLタイムライン410に提供される対応するスーパーフレーム・プリアンブルの間で存在することが観察できる。さらに観察きるように、非同期セクターのタイムライン430におけるスーパーフレーム・プリアンブル前は、それらが他のセクターのタイムライン410及び420におけるフレームと一致するように、オフセットされうる。
【００４８】
タイムライン410及び420を提供するセクター及び／又は他のセクターによって現在サーブ（served）されている端末との通信を確立するために、FLタイムライン430を利用する近隣のセクターは、パイロット432-434及び／又は１つ又は複数のスーパーフレーム・プリアンブル時において信号取得のために必要な他の情報を送信してもよい。１つの実例では、パイロット432-434は、スーパーフレーム構造400で例示されるようにスーパーフレーム・プリアンブル内の一定の時に送信することができる。追加的に及び／又は代替的に、パイロット432-434は、スーパーフレーム・プリアンブル内の又はタイムライン430における１つ又は複数の所定のFLフレーム(図示なし)内の種々の位置で送信できる。しかし、タイムライン430を提供するセクターが動作する非同期モードによって惹起するセクター間のオフセットによって、パイロット432-434及び／又は端末との接続を確立するために必要な情報のいくつか又は全部は、タイムライン420におけるインターレースに対するRL通信に割当てられたフレーム時に常に送信されてもよい。従って、単一の半二重インターレース上で動作する端末は、そのパイロット送信が端末のRL送信と同時に起こるセクターを検知することができなくてもよい。
【００４９】
図4Bは、スーパーフレーム構造400の詳細図を例示する。特に、図4Bは、タイムライン430上の近隣の非同期セクターによるスーパー構造前文の送信に対応するFLタイムライン410及びRLタイムライン420におけるフレームを例示する。観察することができるように、TDMパイロット432-434は、タイムライン430における非同期セクターによって各スーパーフレーム・プリアンブルの一部として送信することができる。図4Bによって例示された特定の実例では、TDMパイロット432-434は、インターレース0のフレーム1及び13及びインターレース1のフレーム0'及び12'で送信される。図4Bによってさらに例示されるように、スーパーフレーム構造400におけるTDMパイロット432-434は、インターレース0のFLフレーム及びインターレース1のRLフレームで排他的に受け取られうる。その結果、インターレース0を使用する半二重端末は、全てのスーパーフレームにおけるパイロット432-434を使用することにより隣のセクターを検知する能力を与えられ、他方、インターレース1を使用する半二重端末は、任意のスーパーフレームのパイロット432-434から近隣のセクターを検知することができなくされる。
【００５０】
図5A及び図5Bは、無線通信システムにおける非同期的に動作するセクターとの通信を促進する実例のスーパーフレーム構造500を例示するブロック図である。図5Aを参照すると、無線通信システムにおける所定のセクターに対する送信タイムライン510及び520及び近隣の非同期セクターのFL送信タイムライン530が、図4Aと類似した態様で、一連のFLスーパーフレーム515及びRLスーパーフレーム525に対して例示されている。1つの態様によれば、FLタイムライン530を使用する近隣のセクターは、パイロット532-534及び／又は１つ又は複数のスーパーフレーム・アセンブリ時にタイムライン510と520を提供するセクター及び／又は他のセクターによって現在サーブ（served）されている端末との通信を確立するためにひつような他の情報を送信できる。スーパーフレーム構造500から観察できるように、タイムライン530におけるスーパーフレーム・プリアンブル及びその中で送信されるパイロット532-534は、所定のフレーム位置においてタイムライン510-520におけるフレームと同時に起こるようにオフセットされうる。したがって、スーパーフレーム構造400と同様の方法で、パイロット532-534は、各スーパーフレームにおける設定されたフレーム位置で通信することができる。
【００５１】
スーパーフレーム構造400に関して記述された問題を緩和するために、スーパーフレーム構造500におけるフレームは、スーパーフレームにおける所定のフレーム位置が所定のインターレースに対するフォワード及びリバース・リンク間で交互する。特定の、非限定実例として、これは、各スーパーフレームが奇数個のフレームを含むようにスーパーフレーム構造500におけるスーパーフレームを構成することによって達成できる。構造500によって例示された特定の実例において、各FLスーパーフレーム515及びRLスーパーフレーム525は、25個のフレームを含むことができる。その後、各スーパーフレーム内のフレームは、半二重インターレース間のフレームのスタガーされた割り当て（staggered assignment）を得るために、スーパーフレーム構造300及び400と同様の方法で交互する態様で半二重インターレースに割り当てることができる。しかし、スーパーフレーム構造300及び400とは対照的に、スーパーフレーム構造500における所定のフレーム位置は、各スーパーフレームが奇数個のフレームを含む結果として所定の半二重インターレースに対する通信リンクの間で交互することができる。
【００５２】
図5Bは、スーパーフレーム構造500の詳細図を例示する。特に、図5Bは、タイムライン530における近隣の非同期セクターによるスーパーフレーム・プリアンブルの送信に対応するFLタイムライン510及びRLタイムライン520におけるフレームを例示する。観察することができるように、TDMパイロット532-534は、タイムライン530における非同期セクターによって各スーパーフレーム・プリアンブルの一部として送信することができる。図5Bによって例示された特定の実例では、TDMパイロット532-534は、インターレース0のフレーム1及び13及びインターレース1フレーム0'および13'において送信される。図5Bから観察することができるように、スーパーフレーム内の所定のフレーム位置における所定のインターレースによって使用される通信リンクはスーパーフレーム構造500において交互するので、インターレース0を利用する半二重端末及びインターレース1を利用する半二重端末は両方とも、交互するスーパーフレームにおいてパイロット532-534を送信する近隣のセクターを検知する能力を与えられる。
【００５３】
図6-7を参照すると、半二重通信及び非同期的に動作するセクター利用する無線通信システムにおける信号取得をサポートするための方法が例示されている。説明の簡単化の目的のために、これらの方法は一連の行為として図示されかつ記述されるが、１つ又は複数の実施の形態によれば、いくつかの行為は異なる順序で及び／又はここに図示されかつ記述される以外の行為と同時に生じてもよいことが理解されかつ認識されるべきである。例えば、１つの方法は、状態図におけるように、一連の相互関連した状態又は事象として択一的に表わされうることを当業者は理解しかつ認識するであろう。さらに、すべての例示される行為が、１つ又は複数の実施の形態による方法を実施するために要求されなくてもよい。
【００５４】
図6を参照すると、無線通信システム(例えば、システム200)におけるアクセス端末(例えば端末220)との半二重通信のための方法600が例示される。方法600は、例えば、基地局(例えば、基地局210)、基地局内のアンテナ・グループ、及び／又は他の適切なネットワーク実体によって実行されうることが認識されるべきである。方法600はブロック602及び604で開始し、この場合、FL送信タイムライン(例えば、FL送信タイムライン310)は、スーパーフレーム・プリアンブル及び一定数のフレームをそれぞれ含むスーパーフレーム（例えば、RL送信タイムライン320）に分割され、そして、対応する送信タイムライン（例えば、RL送信タイムライン320）は、一定数のフレームをそれぞれ含むスーパーフレーム（例えば、RLスーパーフレーム325）に分割される。１つの実例では、FLスーパーフレーム及びRLスーパーフレームは、以下に記述されるように非同期的に動作するセクターの間で半二重通信のサポートのためのより大きな柔軟性を可能にする奇数個のフレームを含むようにブロック602及び604においてそれぞれ分割することができる。
【００５５】
ブロック602及び604でFL及びRL送信タイムラインを分割すると、方法600は、ブロック606まで進むことができ、そこで、各FL及びRLスーパーフレームにおけるフレームは、第１の半二重インターレース及び第２の半二重インターレースのうちの１つに割当てられる。１つの実例において、FL及びRLフレームがスーパーフレーム構造300、400及び500によって例示されたインターレース割り当てと似た方法で半二重インターレース間でスタガー（staggered）されるように、フレームがブロック606において交互する態様で割り当てられる。スーパーフレーム構造400によって例示されたように、フレームのスタガーされた割当て（staggered assignment）はパイロット(例えば、パイロット432-434)及び／又は非同期的に動作するセクターによって方法600を利用するセクターに送信される他の信号を各FL及びRLスーパーフレームにおける所定のフレーム位置で送信させることができる。したがって、第１の半二重インターレース及び第２の半二重インターレースの両方で動作する半二重端末がこれらのパイロットを検知できるようにするために、スーパーフレーム内の所定のフレーム位置が両方のインターレースに対するFL及びRL通信の間で交互するようにフレームがブロック606において割当てることができる。特定の非限定実例として、スーパーフレームは奇数個のフレームを含むようにブロック602及び604で割当てることができる。この割当てに基づいて、フレームのスタガーされた割り当て（staggered assignment）は、スーパーフレーム構造500によって例示されたインターレース割り当てと似た方法で所定のフレーム位置においてインターレースによって使用される通信リンクを変えるためにブロック606で行うことができる。
【００５６】
方法600は次にブロック608へと続き、そこで、アクセス端末が半二重インターレースに関連付けられる。この関連付けに基づいて、関連する半二重のインターレースを用いた通信が、ブロック610でアクセス端末に対して確立できる。１つの実例において、取得パイロット(例えば、パイロット生成コンポーネント212によって生成されたパイロット)及び／又は他の送信をアクセス端末送信することによってブロック610でアクセス端末との通信が確立される。最後に、ブロック612において、ブロック608でアクセス端末に関連する半二重のインターレースのフレームを用いてアクセス端末との通信が行われる。１つの実例において、フォワード・リンク通信は、関連する半二重インターレースにおける第１の周波数チャネルを用いてブロック612で行われ、そして、リバース・リンク通信は、関連する半二重インターレースにおける第２の周波数チャネルを用いてブロック612で行われる。
【００５７】
図7は、無線通信システム(例えば、システム200)における１つ又は複数の非同期的に動作するセクター(例えば、基地局210及び／又は１つ又は複数の基地局210内のアンテナ・グループ)との半二重通信のための方法700を例示する。方法700は、例えば、端末(例えば、端末220)及び／又は他の適切なネットワーク実体によって行えることが認識されるべきである。方法700はブロック702で始まり、そこで、取得パイロット及び／又はセクターからの他の信号を検知することにより(例えば、パイロット検知コンポーネント222を使用することにより)少なくとも部分的にセクターに対して通信が確立される。
【００５８】
方法700はブロック704へと続き、そこで、方法700を実行する実体が、１つ又は複数のFLスーパーフレーム(例えばFLスーパーフレーム315)及びRLスーパーフレーム(例えばRLスーパーフレーム325)上でブロック702において取得信号が受信され半二重セクターとの通信のためにそのインターレースと関連する。１つの実例において、通信が生ずべきFLスーパーフレームは、(例えばインターレーシング・コンポーネント214及び／又は224によって、あるいは他の適切なネットワーク実体によって)一定の数のフレームが後続するスーパーフレーム・プリアンブルを含むように構成されうる。他の実例において、ブロック704における半二重インターレースは、FL及びRLフレームがスーパーフレーム構造300、400及び500によって例示されたインターレース割り当てと似た方法で複数の半二重インターレース間でスタガーされるように交互する態様で割当てられるFL及びRLフレームを含むことができる。さらに、すべての半二重インターレース上で動作する半二重端末がパイロット及び／又は近隣のセクターとのコミュニケーションを確立する(例えば、ブロック708において)ために必要な他の信号を検知できるようにするために、スーパーフレーム内の所定のフレーム位置が所定のインターレースに対するFL及びRL通信間で交互するようにフレームが半二重インターレースに割当てられうる。1つの特定の実例において、これは、奇数個のフレームを含むように各FL及びRLスーパーフレームを割当てて、次に、スーパーフレーム構造500と似た方法で半二重インターレース間のフレームのスタガーされた割当て（staggered assignment）を利用することにより遂行することができる。
【００５９】
ブロック704で記述された行為を完了すると、方法700はブロック706へと続き、そこで、ブロック704において方法700を実行する実体と関連された半二重インターレースのFL及びRLフレームを用いてブロック702で通信が確立されるセクターとの通信が行われる。１つの実例において、フォワード・リンク通信は、関連する半二重インターレースのフォワード・リンク・フレームにおける第１の周波数チャネルを用いてブロック706で行われてもよく、そして、リバース・リンク通信は、関連する半二重インターレースのリバース・リンク・フレームにおける第２の周波数チャネルを用いてブロック706で行われてもよい。
【００６０】
方法700はブロック708で終了することができ、そこで、方法700を実行する実体は、取得パイロット及び／又は関連する半二重インターレースのFLフレームにおける他のセクターからの他の信号を検知することを試みる。上記で一般的に注目されるように、ブロック706において信号が検知されるセクターは、通信がロック706で行われるセクターとは非同期的に動作することができ、非同期のセクターからのパイロットが所定のスーパーフレーム内の１つ又は複数のフレーム位置で受信される。所定のフレーム位置に対するFL及びRL通信の間で変化するブロック704で半二重インターレースと関連することによって、方法700を行う実体は、信号が受信される時間に関係なく、ブロック708で非同期セクターからの信号を検知することができる。
【００６１】
図8をいま参照すると、１つ又は複数の実施の形態が機能できる実例の無線通信システム800を例示するブロック図は提供される。1つの態様によれば、システム800は基地局110、半二重端末120x及び全二重端末120yを含む。１つの実例において、基地局110は、データ送信装置810からトラヒック・データ及びコントローラ／プロセッサ830及び／又はからスケジューラ834からの信号を受信できる送信(TX)データ及び信号プロセッサ812を含む。コントローラ／プロセッサ830は、スーパーフレーム・プリアンブルに対するシステム情報及び／又は基地局110と通信する１つ又は複数の端末に対する信号(例えば、ACK、PCコマンド、消去指標...)のためのシステム情報を提供することができ、そして、スケジューラ834は、端末に対するフォワード及び／又はリバース・リンクにおけるリソース(例えばデータ・チャネル、フレーム、及び／又はサブキャリア)の割当てを提供できる。さらに、TXデータ及び信号プロセッサ812は、データ記号及び信号記号をそれぞれ提供するためにトラヒック・データ及び信号を処理する(例えば、符号化する、インタリーブする及び／又は記号マップ化する)ことができる。基地局110は、データと信号の記号でパイロット記号を多重化し、多重化記号に対する変調を行い(例えば、OFDMA及び／又はCDMAのために)、そして出力チップを提供する変調器(Mod)814をさらに含んでいる。さらに、送信機(TMTR)814はアウトプット・チップに調整する(例えば、アナログに変換する、増幅する、フィルタする、及び／又は周波数をアップコンバートする)ことができ、そして、フォワード・リンク信号を生成することができる。このフォワード・リンク信号は次に、デュプレクサ816によってルート分けされ、そして、アンテナ818によって送信されうる。
【００６２】
他の実例において、半二重端末120xは、基地局110を含む１つ又は複数の基地局からフォワード・リンク信号を受信するアンテナ852xを含むことができる。半二重端末120xはまた、フォワード・リンク・フレーム時に受信機(RCVR)856xにアンテナ852xを接続し、そして、リバース・リンク・フレーム時に送信機866xにアンテナ852xを接続する無線周波数(RF)スイッチ854xを含むことができる。
【００６３】
追加的に及び／又は代替的に、全二重端末120yは、基地局110を含む１つ又は複数の基地局からフォワード・リンク信号を受信するアンテナ852yを含むことができる。全二重端末120yはまた、受信信号をアンテナ852yから受信機856yに送り、そしてさらに、リバース・リンク信号を送信機866yからアンテナ852yに送るデュプレクサ854yを含むことができる。
【００６４】
さらに、各端末120x及び120yは、アンテナ852からの受信信号を調整する(例えば、フィルタする、増幅する、周波数ダウンコンバートする及び／又はがディジタル化する)、そして、サンプルを提供する受信機856を含むことができる。端末120x及び120yは、サンプルに対する復調を行う(例えば、OFDMA及び／又はCDMAのために)、そして、記号評価を提供する復調器(Demod)856を含んでいてもよい。受信(RX)データ及び信号プロセッサ858も、記号評価を処理する（例えば、記号化する、デマップ（demap）する、デインターリーブ（deinterleave）する、及び／又は復号する）、復号されたデータをデータ受信装置に供給する、そして、コントローラ／プロセッサ870に検知された信号（例えば、割当て、ACK、PCコマンド、消去指標...)を供給するために端末120x and 120yに含まれうる。1つの態様によれば、基地局110において、RXデータ及び信号プロセッサ858及び復調器856による処理は、TXデータ及び信号プロセッサ812及び変調器814による処理とそれぞれ相補的である。
【００６５】
リバース・リンクにおいては、各端末120x及び120yにおけるTXデータ及び信号プロセッサ864は、データ送信装置862からのトラヒック・データ及びコントローラ／プロセッサ870からの信号を処理し、そして、記号を生成することができる。記号は次に変調器866によって変調され、そして、リバース・リンク信号を生成するために送信機866によって調整されうる。リバース・リンク信号は、次に、RFスイッチ854xを通されて端末120xにおけるアンテナ852xによって送信され、及び／又は、デュプレクサ854yを通して送られ（routed）、端末120xにおけるアンテナ852yによって送信されることができる。基地局110では、端末120x及び／又は120yを含む１つ又は複数の端末からのリバース・リンク信号は、アンテナ818によって受信され、デュプレクサ816を通して送られ、受信機820によって調整され、復調器820によって復調され、RXデータ及び信号プロセッサ822によって処理されることができる。１つの実例において、RXデータ及び信号プロセッサ822は復号データをデータ受信装置824に供給し、そして、検知された信号をコントローラ／プロセッサ830に供給することができる。
【００６６】
１つの態様によれば、コントローラ／プロセッサ830、870x及び870yは、それぞれ基地局110及び端末120xにおける種々の処理装置及の動作を指図することができる。１つの実例において、コントローラ／プロセッサ830は、方法900、1000、1100、及び／又は他の適切な方法を実行できる。追加的に及び／又は代替的に、コントローラ／プロセッサ870は方法900、1000及び／又は他の適切な方法を実行してもよい、。他の態様によれば、メモリ832、872x及び872yは、基地局110及び端末120x及び120yのためのデータ及びプログラム・コードをそれぞれ格納できる。さらに、スケジューラ834は、基地局110と通信する端末をスケジュールし、そして、スケジュールされた端末にリソース(例えば、データ・チャネル、フレーム、及び／又はサブキャリア)を割当てることができる。
【００６７】
図9は、ここに記述された種々の態様のよる、非同期的に動作する無線通信システムにおける半二重通信を調整するシステム900のブロック図である。１つの実例において、システム900は基地局又はアクセス・ポイント902を含む。例示されるように、アクセス・ポイント902は、受信(Rx)アンテナ906によって１つ又は複数のアクセス端末904から信号を受信し、また、送信(Tx)アンテナ908によって１つ又は複数のユーザ装置904に送信することができる。
【００６８】
さらに、アクセス・ポイント902は、受信アンテナ906から情報を受信する受信機910を備えることができる。１つの実例において、受信機910は、受信情報を復調する復調器(Demod)912に動作的に関連されうる。復調された記号は、プロセッサ914によって分析することができる。プロセッサ914は、コード・クラスタ、アクセス端末割当て、それに関係したルックアップ表、ユニークなスクランブリング・シーケンス、及び／又は他の適切なタイプの情報に関係した情報を格納できるメモリ916に結合されうる。追加的に及び／又は代替的に、プロセッサ914はインターレーシング・コンポーネント922に結合でき、それは、送信タイムライン(例えば、フォワード・リンク送信タイムライン310及びリバース・リンク送信タイムライン320)からの半二重インターレースの生成及び／又は１つ又は複数の半二重インターレースへの１つ又は複数のアクセス端末904の割当てを促進できる。１つの実例において、アクセス・ポイント902は、方法600及び／又は他の同様かつ適切な方法をプロセッサ914と共に又は独立に実行するためにインターレーシング・コンポーネント922を使用することができる。アクセス・ポイント902はまた、１つ又は複数のアクセス端末904への送信アンテナ908を経由した送信機920による送信のための信号を多重化することができる変調器918を含むことができる。
【００６９】
図10は、ここに記述された種々の態様による、非同期的に動作する無線通信システムにおける半二重通信を調整するシステム1000のブロック図である。１つの実例において、システム1000はアクセス端末1002を含む。例示されるように、アクセス端末1002は、１つ又は複数のアクセス・ポイント1004から信号を受信し、また、アンテナ1008によって１つ又は複数の基地局1004へ送信することができる。１つの実例において、アンテナが所定の時間にデータを受信する又は送信するために作用可能かどうかが、RFスイッチ1006によって制御される。
【００７０】
さらに、アクセス端末1002は、アンテナ1008から情報を受け取る受信機1010を備えることができる。１つの実例において、受信機1010は、受信情報を復調する復調器(Demod)1012と動作的に関連されうる。復調された記号は、プロセッサ1014によって分析することができる。プロセッサ1014は、アクセス端末1002と関係するデータ及び／又はプログラム・コードを格納することができるメモリ1016と結合できる。追加的に及び／又は代替的に、プロセッサ1014は、半二重インターレースへのアクセス端末1002の割り当てを促進することができるインターレーシング・コンポーネント1022に結合できる。１つの実例において、アクセス端末1002は、方法700及び／又は他の同様で適切な方法をプロセッサ1014と共に又は独立に実行するためにインターレーシング・コンポーネント1022を使用することができる。アクセス端末1002はまた、１つ又は複数のアクセス・ポイント1004へのアンテナ1008を通じて送信機1020による送信のための信号を多重化できる変調器1018を含むことができる。
【００７１】
図11は、無線端末(例えば、システム200における端末220)との半二重通信を促進する装置1100を例示する。プロセッサ、ソフトウェア、又はそれらの組合せ（例えば、ファームウェア）によって実装される機能を表わす機能的ブロックでありうる機能的ブロックを含むものとして表わされることが認識されるべきである。装置1100は、基地局(例えば、基地局210)及び／又は他の適切なネットワーク実体に実装することができ、また、送信タイムライン(例えば、スーパーフレーム構造500)を、１つのプリアンブル及び所定の奇数個のフレームを有するフォワード・リンク・スーパーフレーム(例えば、フォワード・リンクスーパーフレーム515)及び所定の奇数個のフレーム1102を有するリバース・リンク・スーパーフレーム(例えば、リバース・リンク・スーパーフレーム525)に分割するためのモジュールを含むことができる。さらに、装置1100は、フォワード・リンク・フレーム及びリバース・リンク・フレームを複数の半二重インターレース1104のうちの1つに割当てるためのモジュールと、無線端末を半二重インターレース1106と関連させるためのモジュールと、取得パイロット又は他の信号1108を用いて無線端末との通信を確立するためのモジュールと、関連する半二重インターレース1110のフレームを用いて無線端末と通信するためのモジュールとを含むことができる。
【００７２】
図12は、１つ又は複数の非同期無線アクセス・ポイント(例えば、システム200における基地局210)との半二重通信を促進する装置1200を例示する。プロセッサ、ソフトウェア又はそれらの組合せ(例えば、ファームウェア)によって実装される機能を表わす機能的ブロックでありうる機能的ブロックを含むとして表わされていることを認識すべきである。装置1200は、端末(例えば、端末220)及び／又は別の適切なネットワーク実体で実装でき、また、取得パイロット及び／又はアクセス・ポイント1202からの他の信号に基づいてアクセス・ポイントとの通信を確立するためのモジュールを含むことができる。さらに、装置1200は、一定の奇数個のフレーム1204を有するフォワード及びリバース・リンク・スーパーフレーム上でのアクセス・ポイントとの通信のために半二重インターレースと関連するためのモジュールと、関連する半二重インターレース1206のフォワード・リンク・フレーム及びリバース・リンク・フレームを用いてアクセス・ポイントと通信するためのモジュールと、関連する半二重インターレース1208のフォワード・リンク・フレームにおいて取得パイロット及び／又は他のアクセス・ポイントからの他の信号を検知するためのモジュールとを含むことができる。
【００７３】
ここに記述される実施の態様は、ハードウェア、ソフトウェア、ファームウェア、ミドルウェア、マイクロコードあるいはそれらの任意の組合せによって実装されうることを認識すべきである。システム及び／又は方法がソフトウェア、ファームウェア、ミドルウェアあるいはマイクロコード、プログラム・コード又はコード・セグメントで実装される場合には、それらは記憶コンポーネントのような機械可読媒体に格納されてもよい。コード・セグメントは手順、関数、サブプログラム、プログラム、ルーチン、サブルーチン、モジュール、パッケージ・ソフト、クラスあるいは命令、データ構造あるいはプログラム文の任意の組合せを表わしてもよい。コード・セグメントは、情報、データ、引数、パラメータ、又はメモリ内容を送ること及び／又は受け取ることによって他のコード・セグメント又はハードウェア回路に結合されてもよい。情報、引数、パラメータ、データ、等は、メモリ共有、メッセージ・パッシング、トークン・パッシング、ネットワーク伝送、等を含む任意適切な手段を用いて渡され（passed）、転送され（forwarded）又は送信されてもよい。
【００７４】
ソフトウェア実装に対しては、ここに記述された技術は、ここに記述された機能を行なうモジュール(例えば、手順、機能、等)で実装されてもよい。ソフトウェア・コードは、メモリ装置に格納されかつプロセッサによって実行されてもよい。メモリ装置は、プロセッサ内に又はプロセッサ外に実装されてもよく、プロセッサ外に実装される場合には、技術的に公知である種々の手段によってプロセッサに通信的に結合されうる。
【００７５】
上に記述されたものは、１つ又は複数の実施の形態の実例を含んでいる。前述の実施の形態について記述する目的のためにコンポーネント又は方法のすべての考えられる組合せについてもちろん記述することはもちろん可能ではないが、種々の実施の形態の他の多くの組合せ及び順列が可能であることを当業者は認識することができる。従って、記述された実施の形態は、添付された請求項の精神及び範囲内にある変更、修正及び変化をすべて包含するように意図される。さらに、「含む」という用語が詳細な説明又は請求項のいずれかで使用される程度において、その用語は、「備える」という用語が請求項の遷移語として用いられる場合に解釈されるのと同様の態様で包括的であると意図されている。さらに、詳細な説明又は請求項で使用されている「又は」という用語は、「非排他的な又は」の意味である。
【００７６】
相互参照
本出願は、2006年9月11日に申請された米国仮出願第60/843,892号及び2007年8月31日に申請された米国出願第11/848,842号の利益を請求し、その全体が参照によってここに取り込まれる。
【図１】
2010510693.tif 000003
【図２】
2010510693.tif 000004
【図３】
2010510693.tif 000005
【図４Ａ】
2010510693.tif 000006
【図４Ｂ】
2010510693.tif 000007
【図５Ａ】
2010510693.tif 000008
【図５Ｂ】
2010510693.tif 000009
【図６】
2010510693.tif 000010
【図７】
2010510693.tif 000011
【図８】
2010510693.tif 000012
【図９】
2010510693.tif 000013
【図１０】
2010510693.tif 000014
【図１１】
2010510693.tif 000015
【図１２】
2010510693.tif 000016
【国際調査報告】
2010510693.tif 000017
2010510693.tif 000018
2010510693.tif 000019